(57)【要約】【課題】十分な明るさを確保して携帯端末装置のハンドミラー機能を利用できるようにする。【解決手段】携帯端末装置１は、撮像部１６及び表示部１４と、携帯端末装置１がクレードル装置２に装着されたことを検出する磁気センサ２１及びマグネット２２を有する。クレードル装置２は、照明機器５４と、クレードル装置２に携帯端末装置１が装着されたことを検出する磁気センサ５１及びマグネット５２とを有する。撮像部１６が上方に来る方向で携帯端末装置１をクレードル装置２に装着すると、携帯端末装置１のバッテリが充電状態となり、撮像部１６が下方に来る方向で携帯端末装置１をクレードル装置２に装着すると、撮像部１６及び表示部１４が起動され、撮像部１６で撮像された像が鏡像画面となり表示部１４に表示されると共に、クレードル装置２の照明機器５４が点灯される。【選択図】図５
2012151715.tif 000002
【特許請求の範囲】
【請求項１】
撮像部と、前記撮像部の撮像レンズと同一面に配置されて前記撮像部による撮像画像を表示可能な表示部と、を具備する携帯端末装置と、
前記携帯端末装置を載置可能なクレードル装置と、
照明機器と、
前記携帯端末装置が前記クレードル装置に載置されたことを検出する検出部と
を具備し、
前記照明機器は、前記携帯端末装置が前記クレードル装置に載置されたことを前記検出部が検出すると発光することを特徴とする携帯端末システム。
【請求項２】
前記携帯端末装置は、前記携帯端末装置が前記クレードル装置に載置されたことを前記検出部が検出すると、前記撮像部で撮像された像の鏡像画面を前記表示部に表示させることを特徴とする請求項１に記載の携帯端末システム。
【請求項３】
前記検出部は、更に、前記携帯端末装置を前記クレードル装置に装着したときの装着方向を検出することを特徴とする請求項１に記載の携帯端末システム。
【請求項４】
前記携帯端末装置は、前記検出部で検出された装着方向に応じて、前記撮像部で撮像された像の鏡像画面を前記表示部に表示させる動作を行うか否かを決定することを特徴とする請求項３に記載の携帯端末システム。
【請求項５】
前記クレードル装置は、前記検出部で検出された装着方向に応じて、前記照明機器を点灯させるか否かを決定することを特徴とする請求項３に記載の携帯端末システム。
【請求項６】
前記検出部は、前記携帯端末装置側に具備されることを特徴とする請求項１に記載の携帯端末システム。
【請求項７】
前記検出部は、前記クレードル装置側に具備されることを特徴とする請求項１に記載の携帯端末システム。
【請求項８】
照明機器と、携帯端末装置が載置されたことを検出する検出部と、を具備し、
前記携帯端末装置が載置されたことを前記検出部が検出すると、前記照明機器を発光することを特徴とするクレードル装置。
【請求項９】
照明機器と、クレードル装置に載置されたことを検出する検出部と、を具備し、
前記クレードル装置に載置されたことを前記検出部が検出すると、前記照明機器を発光することを特徴とする携帯端末装置。
【請求項１０】
撮像部と、前記撮像部の撮像レンズと同一面に配置されて前記撮像部による撮像画像を表示可能な表示部と、クレードル装置に載置されたことを検出する検出部と、を具備し、
前記クレードル装置に載置されたことを前記検出部が検出すると、前記撮像部で撮像された像の鏡像画面を前記表示部に表示させることを特徴とする携帯端末装置。
【発明の詳細な説明】
【技術分野】
【０００１】
本発明は、携帯端末システム、クレードル装置および携帯端末装置に関するもので、特に、ハンドミラー機能を備えたものに係わる。
【背景技術】
【０００２】
携帯端末装置には、撮像部の撮像方向と表示部の表示方向とが同一の方向に向けて配置され、撮像画像を左右反転させて表示部に鏡像表示させる、ハンドミラー機能と呼ばれる機能を備えるものがある。
このようなハンドミラー機能を用いて、携帯端末装置のユーザは、自分撮りを行ったときに、違和感無く自分自身を撮像できる。また、携帯端末装置を手鏡のように扱えるので、ユーザが自身の髪型や化粧をチェックする際などに当該ハンドミラー機能を利用できる。
【０００３】
また、ユーザが、ハンドミラー機能を備えた携帯端末装置を使って髪型や化粧をチェックする際に、携帯端末装置を充電器に載置した状態で使用すると、携帯端末装置が固定され、利便性が向上する。このように、携帯端末装置を充電器に載置した状態で使用することについては、例えば特許文献１に記載されている。すなわち、特許文献１には、監視カメラとして機能するデジタルカメラにおいて、デジタルカメラが充電台に接続されたことを制御部が検知すると、撮像部等の電源をオンし、充電台から離脱されたことを検知すると、撮像部等の電源をオフすることが記載されている。
【先行技術文献】
【特許文献】
【０００４】
【特許文献１】特開２００４−１２００６７号公報
【発明の概要】
【発明が解決しようとする課題】
【０００５】
しかしながら、ハンドミラー機能を備えた携帯端末装置は、一般に、照明となるライトの実装スペースの制約により、あるいは、携帯端末装置のバッテリ切れを防ぐため、ハンドミラー機能を実行する際に照明を行わないか、あるいは、照明となるライトの数や、照明に用いる電力を制限している。このため、ユーザがハンドミラー機能を利用する際に十分な明るさを得られないおそれがある。例えば、ユーザが、自身の髪型や化粧のチェックをするためにハンドミラー機能を利用する際、十分な明るさを得られずに、髪型や化粧を適切にチェックできないおそれがある。一方、ハンドミラー機能を備えた携帯端末装置において、十分な明るさを得るために照明となるライトの数を増やすと、消費電力が増加し、携帯端末装置がバッテリ切れとなるおそれがある。
【０００６】
また、特許文献１に示される技術は、電子カメラを監視カメラとして利用できるようにするために、電子カメラが充電台に載置して使用するものであり、特許文献１には、反動ミラー機能実行時における照明に関する記載はない。
【０００７】
本発明は、上述の課題を解決することのできる携帯端末システム、クレードル装置および携帯端末装置を提供することを目的としている。
【課題を解決するための手段】
【０００８】
この発明は上述した課題を解決するためになされたもので、本発明の一態様による携帯端末システムは、撮像部と、撮像部の撮像レンズと同一面に配置されて撮像部による撮像画像を表示可能な表示部と、を具備する携帯端末装置と、携帯端末装置を載置可能なクレードル装置と、照明機器と、携帯端末装置がクレードル装置に載置されたことを検出する検出部と、を具備し、照明機器は、携帯端末装置がクレードル装置に載置されたことを検出部が検出すると発光することを特徴とする。
【０００９】
また、本発明の一態様によるクレードル装置は、照明機器と、携帯端末装置が載置されたことを検出する検出部と、を具備し、携帯端末装置が載置されたことを検出部が検出すると、照明機器を発光することを特徴とする。
【００１０】
また、本発明の一態様による携帯端末装置は、照明機器と、クレードル装置に載置されたことを検出する検出部と、を具備し、クレードル装置に載置されたことを検出部が検出すると、照明機器を発光することを特徴とする。
【００１１】
また、本発明の一態様による携帯端末装置は、撮像部と、撮像部の撮像レンズと同一面に配置されて撮像部による撮像画像を表示可能な表示部と、クレードル装置に載置されたことを検出する検出部と、を具備し、クレードル装置に載置されたことを検出部が検出すると、撮像部で撮像された像の鏡像画面を表示部に表示させることを特徴とする。
【発明の効果】
【００１２】
本発明によれば、ハンドミラー機能を備えた携帯端末装置において、携帯端末装置がクレードル装置に載置されると、携帯端末装置の撮像部及び表示部を起動され、ハンドミラー機能により、撮像部で撮像された画像の鏡像画面が表示部に表示されると共に、発光機器を点灯させている。これにより、十分な明るさで、ハンドミラー機能を利用して、髪型や化粧のチェックを行える。また、照明機器への電力は商用電源から供給されるため、電力消費を気にせずにハンドミラー機能を使用することができる。更に、携帯端末装置を充電器へ固定するため、女性が両手を使って化粧をする場合に、利便性を向上できる。
【図面の簡単な説明】
【００１３】
【図１】本発明の第１の実施形態における携帯端末装置の外観構成の概略を示す平面図である。
【図２】同実施形態における携帯端末装置の機能ブロック構成の概略を示すブロック図である。
【図３】同実施形態におけるクレードル装置の外観構成の概略を示す斜視図である。
【図４】同実施形態におけるクレードル装置の機能ブロック構成の概略を示すブロック図である。
【図５】同実施形態における携帯端末システムの、携帯端末装置をクレードル装置に装着した状態の説明図である。
【図６】同実施形態における携帯端末システムの動作を説明するためのフローチャートである。
【図７】本発明の第２の実施形態における携帯端末システムの、携帯端末装置をクレードル装置に装着した状態の説明図である。
【発明を実施するための形態】
【００１４】
以下、本発明の実施の形態について図面を参照しながら説明する。
【００１５】
＜第１の実施形態＞
まず、本発明の第１の実施形態における携帯端末装置について説明する。図１（Ａ）及び図１（Ｂ）は、本発明の第１の実施形態における携帯端末装置１の表側及び裏側の外観構成の概略を示す平面図である。
【００１６】
図１（Ａ）に示すように、携帯端末装置１の表側筐体１１には、その略々全面に渡って、表示部１４が配設される。表示部１４は例えば液晶ディスプレイからなる。また、表示部１４上には、タッチパネル操作部１３が積層されて配置されている。
【００１７】
また、図１（Ａ）において、携帯端末装置１の表側筐体１１の上方には、撮像部１６が配設される。撮像部１６は、ＣＣＤ（Charge Coupled Device）またはＣＭＯＳ（Complementary Metal Oxide Semiconductor Field Effect Transistor）等のイメージセンサからなる。撮像部１６のレンズは表示部１４と同一面に配置されており、（すなわち、撮像部１６のレンズと表示部１４とが、共に表側筐体１１に配置されており、）撮像部１６の撮像方向と表示部１４の表示方向は同一となっている。また、携帯端末装置１の表側筐体１１の下方には、照明機器１５が設けられる。
なお、携帯端末装置１は、撮像部１６と表示部１４とを、筐体の同じ側に具備する装置であればよい。例えば、携帯端末装置１は、カメラ付き携帯電話機であってもよいし、カメラ付きＰＤＡ（Personal Digital Assistant）であってもよい。
【００１８】
図１（Ｂ）に示すように、携帯端末装置１の裏側筐体１２の下方には、充電用端子２５が配設される。充電用端子２５は、携帯端末装置１の内蔵バッテリを、後述するクレードル装置２に装着して充電するのに用いられる。また、裏側筐体１２には、磁気センサ２１及びマグネット２２が配設される。磁気センサ２１及びマグネット２２は、後に説明するように、携帯端末装置１をクレードル装置２に装着したときの装着方向を検出するのに用いられる。
【００１９】
このように、携帯端末装置１は、表側筐体１１の略々全面に渡って表示部１４を配設し、表示部１４上にタッチパネル操作部が積層されて配置されている。表示部１４には、インターネット利用時のウェブページや、アプリケーション画面等、各種の画像が表示される。タッチパネル操作部により、表示部１４上に映し出される画面をユーザが直接触れることで、各種の入力操作を行える。
【００２０】
また、携帯端末装置１は、ハンドミラー機能により、撮像部１６が撮像した像を、鏡像画面として表示部１４に表示させることができる。ハンドミラー機能は、例えば、撮像部１６の撮像画像をメモリに一時保存し、メモリから左右反転して画像を読み出すことにより実現される。携帯端末装置１は、ハンドミラー機能を実行するように設定されると、撮像部１６が撮像する像を左右反転させて鏡像画面とし、表示部１４に表示させる。これにより、携帯端末装置１のユーザは、携帯端末装置１を手鏡のように扱え、ユーザ自身の髪型や化粧をチェックする際などに携帯端末装置１を利用できる。
【００２１】
図２は、携帯端末装置１の機能ブロック構成の概略を示すブロック図である。同図において、携帯端末装置１は、タッチパネル操作部１３と、表示部１４と、照明機器１５と、撮像部１６と、磁気センサ２１と、マグネット２２と、充電用端子２５と、主制御部（検出部）３１と、ＲＯＭ（Read Only Memory）３２と、フラッシュメモリ３３と、ＲＡＭ（Random Access Memory）３４と、無線通信部３６と、バッテリ３８と、充電制御部３９とを具備する。
【００２２】
主制御部３１は、例えば、携帯端末装置１の具備するＣＰＵ（Central Processing Unit）が、ＲＯＭ３２からプログラムを読み出して実行することにより実現され、携帯端末装置１の全体の動作を制御する。なお、主制御部３１の実現方法は、ＣＰＵを用いる方法に限らない。例えば、主制御部３１が、専用の論理回路にて構成されるようにしてもよい。
ＲＯＭ３２は、ブートプログラムや、基本プログラムや、各種のアプリケーションプログラムを記憶する。フラッシュメモリ３３は、各種のプリセットデータや写真情報など、各種のデータを記憶する。ＲＡＭ３４は、データ処理用のメモリである。
タッチパネル操作部１３は、ユーザの画面タッチによる入力操作を受け付けて、受け付けた操作内容を主制御部３１に出力する。また、表示部１４は、主制御部３１の制御に従って、画像やテキストなど各種データを表示する。
【００２３】
無線通信部３６は、電波の送受信により、データ通信を行う。無線通信部３６がデータ通信に用いる通信方式としては様々なものを用いることができる。例えば、無線通信部３６が、ＩＥＥＥ８０２．１１ｂ／ｇによって通信を行うようにしてもよいし、ＩＥＥＥ８０２．１１ｎ、Ｂｌｕｅｔｏｏｔｈ（登録商標）、またはＷｉＭＡＸ（Worldwide interoperability for Microwave Access）など、他の通信方式によって通信を行うようにしてもよい。特に、携帯端末装置１が携帯電話機の場合、無線通信部３６は、ＰＤＣ（Personal Digital Cellular）、ＧＳＭ（Global System for Mobile Communication）、ＣＤＭＡ（Code Division Multiple Access）、またはＷＣＤＭＡ（Wideband CDMA）など、携帯電話におけるデータ通信方式によって通信を行う。
【００２４】
バッテリ３８は、携帯端末装置１の各部に電力を供給する。バッテリ３８は、充電制御部３９から供給される電力により充電される。充電制御部３９は、充電用端子２５に接続されており、充電制御部３９は、携帯端末装置１が、充電用端子２５を下側にしてクレードル装置２に設置された際に、充電用端子２５を介してクレードル装置２から電力の供給を受け、当該電力をバッテリ３８に供給する。
【００２５】
また、図１（Ｂ）に示されるように、裏側筐体１２には、磁気センサ２１及びマグネット２２が配設されている。磁気センサ２１は、磁気を測定し、測定結果のセンサ値（磁気測定値）を主制御部３１に出力する。後に説明するように、磁気センサ２１のセンサ値により、携帯端末装置１がクレードル装置２に装着されたか否かや、携帯端末装置１がクレードル装置２に装着された際の装着方向を判定できる。
【００２６】
次に、本発明の第１の実施形態におけるクレードル装置について説明する。図３は、本発明の第１の実施形態におけるクレードル装置２の外観構成の概略を示す斜視図である。
【００２７】
図３に示すように、クレードル装置２は、携帯端末装置１を保持するための機器保持部５０を有する。機器保持部５０の下方には、充電用端子５５が配設される。充電用端子５５の位置は、携帯端末装置１側の充電用端子２５の位置と対応しており、携帯端末装置１が、充電用端子２５を下側にしてクレードル装置２に設置された際に、充電用端子２５に接触し、電力を供給する。
また、機器保持部５０には、磁気センサ５１及びマグネット５２が配設される。後述するように、磁気センサ５１の位置は、携帯端末装置１側のマグネット２２の位置と対応し、マグネット５２の位置は、携帯端末装置１側の磁気センサ２１の位置と対応している。また、クレードル装置２には、照明機器５４が設けられる。クレードル装置２本体には、コネクタ５７を介して、ＡＣ／ＤＣアダプタ６０が接続される。
なお、クレードル装置２と、携帯端末装置１とで、携帯端末システム１００を構成する。
【００２８】
図４は、クレードル装置２の機能ブロック構成の概略を示すブロック図である。同図において、クレードル装置２は、磁気センサ５１と、マグネット５２と、照明機器５４と、充電用端子５５と、コネクタ５７と、ＡＣ／ＤＣアダプタ６０と、スイッチ回路６２と、スイッチ制御部（検出部）６３とを具備する。
【００２９】
ＡＣ／ＤＣアダプタ６０は、その具備するプラグを商用電源コンセントに挿入されて、商用電源からの交流電力（商用電力）の供給を受ける。そして、ＡＣ／ＤＣアダプタ６０は、供給される交流電力を、所定電圧の直流電力に変換する。そして、ＡＣ／ＤＣアダプタ６０は、変換により得られる直流電力を、コネクタ５７を介して充電用端子５５に供給し、また、スイッチ回路６２を介して照明機器５４に供給する。
【００３０】
磁気センサ５１は、磁気を測定し、測定結果のセンサ値（磁気測定値）をスイッチ制御部６３に出力する。磁気センサ５１のセンサ値により、後に説明するように、携帯端末装置１がクレードル装置２に装着されたか否かや、携帯端末装置１がクレードル装置２に装着された際の装着方向を判定できる。
【００３１】
スイッチ制御部６３は、磁気センサ５１から出力されるセンサ値に応じて、スイッチ回路６２の開閉を制御する。
なお、スイッチ制御部６３は、例えば、クレードル装置２の具備するＣＰＵが、クレードル装置２の具備するメモリからプログラムを読み出して実行することにより実現される。あるいは、スイッチ制御部６３が、専用の論理回路にて構成されるようにしても良い。
【００３２】
スイッチ回路６２は、その開閉状態に応じて、照明機器５４への電力を導通または遮断する。具体的には、スイッチ回路６２がＯＮ状態（閉状態）のときは、ＡＣ／ＤＣアダプタ６０から供給される直流電力が、スイッチ回路６２を介して照明機器５４に供給される。これにより、照明機器５４は点灯状態となる。一方、スイッチ回路６２がＯＦＦ状態（開状態）のときは、ＡＣ／ＤＣアダプタ６０から供給される直流電力が、スイッチ回路６２において遮断され、照明機器５４には供給されない。これにより、照明機器５４は消灯状態となる。
【００３３】
次に、本発明の第１の実施形態において、携帯端末装置１をクレードル装置２に装着したときの動作について説明する。
【００３４】
図１（Ｂ）に示されるように、携帯端末装置１には、充電用端子２５が配設されると共に、磁気センサ２１及びマグネット２２が配設される。また、図３に示されるように、クレードル装置２には、充電用端子５５が配設されると共に、磁気センサ５１及びマグネット５２が配設される。そして、携帯端末装置１側の磁気センサ２１及びマグネット２２の位置と、クレードル装置２側の磁気センサ５１及びマグネット５２の位置とは対応している。
【００３５】
図５は、本発明の第１の実施形態における携帯端末システム１００の、携帯端末装置１をクレードル装置２に装着した状態の説明図である。
【００３６】
ユーザは、図５（Ａ）に示すように、携帯端末装置１を、クレードル装置２の機器保持部５０に装着する。
ここで、図５（Ｂ）に示すように、充電用端子２５を下側にして（すなわち、撮像部１６が上側に位置するように）、携帯端末装置１をクレードル装置２に装着すると、携帯端末装置１側の充電用端子２５と、クレードル装置２側の充電用端子５５とが接続される。これにより、ＡＣ／ＤＣアダプタ６０からの充電電流（直流電力）が、充電用端子５５及び２５を介して携帯端末装置１内のバッテリ３８に供給され、バッテリ３８が充電される。
【００３７】
また、充電用端子２５を下側にして、携帯端末装置１をクレードル装置２に装着した状態では、図５（Ｂ）に示すように、携帯端末装置１側の磁気センサ２１とクレードル装置２側のマグネット５２とは離れている。このため、携帯端末装置１の磁気センサ２１は、小さい値のセンサ値を出力する。このように、磁気センサ２１が小さい値のセンサ値を出力する場合（センサ値が、後述する判定閾値未満の場合）、携帯端末装置１は、ハンドミラー機能を実行しない。具体的には、携帯端末装置１の主制御部３１は、撮像部１６及び表示部１４を動作させない。
【００３８】
また、充電用端子２５を下側にして、携帯端末装置１をクレードル装置２に装着した状態では、クレードル装置２側の磁気センサ５１とクレードル装置２側のマグネット２２とは離れている。このため、クレードル装置２の磁気センサ５１は、小さい値のセンサ値を出力する。このように、磁気センサ２１が小さい値のセンサ値を出力する場合、クレードル装置２は、ハンドミラー機能に対応した照明を行わない。具体的には、クレードル装置２のスイッチ制御部６３は、スイッチ回路６２をＯＦＦ状態とする。これにより、照明機器５４は消灯状態となる。
【００３９】
これに対して、図５（Ｃ）に示すように、充電用端子２５を上側にして（すなわち、撮像部１６が下側に位置するように）、携帯端末装置１をクレードル装置２に装着すると、携帯端末装置１側の充電用端子２５とクレードル装置２側の充電用端子５５とは接続されず、バッテリ３８への充電は行われない。
また、充電用端子２５を上側にして、携帯端末装置１をクレードル装置２に装着した状態では、図５（Ｃ）に示すように、携帯端末装置１側の磁気センサ２１とクレードル装置２側のマグネット５２とが対向する。このため、磁気センサ２１は、マグネット５２からの磁気を検知し、大きい値のセンサ値を出力する。このように、磁気センサ２１が大きい値のセンサ値を出力する場合（センサ値が、後述する判定閾値以上の場合）、携帯端末装置１は、ハンドミラー機能を実行する。具体的には、携帯端末装置１の主制御部３１は、撮像部１６及び表示部１４を起動し、撮像部１６の撮像画像に対する鏡像画面を表示部１４に表示させる。
【００４０】
また、充電用端子２５を上側にして、携帯端末装置１をクレードル装置２に装着した状態では、クレードル装置２側の磁気センサ５１と携帯端末装置１側のマグネット２２とが対向する。このため、磁気センサ５１は、マグネット２２からの磁気を検知し、大きい値のセンサ値を出力する。このように、磁気センサ５１が大きい値のセンサ値を出力する場合、クレードル装置２は、ハンドミラー機能に対応した照明を行う。具体的には、クレードル装置２のスイッチ制御部６３は、スイッチ回路６２をＯＮ状態とする。これにより、照明機器５４は点灯状態となる。
【００４１】
このように、本実施形態では、図５（Ｂ）に示すように、充電用端子２５を下側にして、携帯端末装置１をクレードル装置２に装着すると、携帯端末装置１のバッテリ３８の充電状態となり、図５（Ｃ）に示すように、充電用端子２５を上側にして、携帯端末装置１をクレードル装置２に装着すると、撮像部１６及び表示部１４が起動され、ハンドミラー機能により、撮像部１６で撮像された像が鏡像画面となり表示部１４に表示されると共に、クレードル装置２の照明機器５４が点灯される。
【００４２】
なお、充電用端子２５を上側にして、携帯端末装置１をクレードル装置２に装着した場合に、クレードル装置２の照明機器５４だけでなく、携帯端末装置１の照明機器１５も点灯させるようにしても良い。
【００４３】
図６は、携帯端末システム１００の動作を説明するためのフローチャートである。携帯端末システム１００は、起動すると（携帯端末装置１が電源スイッチＯＮにより起動し、かつ、クレードル装置２が商用電源からの受電により起動すると）、同図の処理を開始する。
【００４４】
まず、携帯端末装置１の主制御部３１は、磁気センサ２１から出力されるセンサ値が、主制御部３１の予め記憶する判定閾値以上か否を判定する。また、クレードル装置２のスイッチ制御部６３は、磁気センサ５１から出力されるセンサ値が、スイッチ制御部６３の予め記憶する判定閾値以上か否を判定する（ステップＳ１０１）。
【００４５】
ここで、判定閾値は、携帯端末装置１が、充電用端子２５を下側にしてクレードル装置２に装着されている状態（図５（Ｂ）の状態）における磁気センサ２１や磁気センサ５１のセンサ値よりも大きい値、かつ、携帯端末装置１が、充電用端子２５を上側にしてクレードル装置２に装着されている状態（図５（Ｃ）の状態）における磁気センサ２１や磁気センサ５１のセンサ値よりも小さい値の閾値であり、主制御部３１およびスイッチ制御部６３は、この判定閾値を予め記憶している。
【００４６】
センサ値が判定閾値以上であると判定した場合（ステップＳ１０１：ＹＥＳ）、携帯端末装置１が、充電用端子２５を上側にしてクレードル装置２に装着されていることになる。
そこで、携帯端末装置１の主制御部３１は、撮像部１６に撮像画像を出力させ、当該撮像画像を左右対称にした鏡像画像を生成し、表示部１４に鏡像画面として表示させる（ステップＳ１１１）。これにより、携帯端末装置１は、ハンドミラー機能を実行する。
また、クレードル装置２のスイッチ制御部６３は、スイッチ回路６２をＯＮ状態にすることにより、照明機器５４を点灯状態にする（ステップＳ１１２）。
【００４７】
次に、携帯端末装置１の主制御部３１は、磁気センサ２１から出力されるセンサ値が、主制御部３１の予め記憶する判定閾値未満か否を判定する。また、クレードル装置２のスイッチ制御部６３は、磁気センサ５１から出力されるセンサ値が、スイッチ制御部６３の予め記憶する判定閾値未満か否を判定する（ステップＳ１１３）。
【００４８】
センサ値が判定閾値未満ではない（判定閾値以上である）と判定した場合（ステップＳ１１３：ＮＯ）、携帯端末装置１は、充電用端子２５を上側にしてクレードル装置２に装着された状態を維持していることになる。そこで、ステップＳ１１１に戻り、携帯端末装置１がハンドミラー機能の実行を継続し、クレードル装置２が照明点灯状態を継続する。
【００４９】
一方、センサ値が判定閾値未満であると判定した場合（ステップＳ１１３：ＹＥＳ）、携帯端末装置１は、充電用端子２５を上側にしてクレードル装置２に装着された状態ではなくなったことになる。
そこで、携帯端末装置１の主制御部３１は、撮像部１６の撮像画像出力を終了させ、また、表示部１４の鏡像画面表示を終了させる（ステップＳ１２１）。これにより、携帯端末装置１は、ハンドミラー機能を終了する。
また、クレードル装置２のスイッチ制御部６３は、スイッチ回路６２をＯＦＦ状態にすることにより、照明機器５４を消灯状態にする（ステップＳ１２２）。
その後、ステップＳ１０１に戻る。
【００５０】
一方、ステップＳ１０１において、センサ値が判定閾値以上ではない（判定閾値未満である）と判定した場合（ステップＳ１０１：ＮＯ）、ステップＳ１０１に戻る。
なお、センサ値が判定閾値未満の状態（ステップＳ１０１：ＮＯ）において、携帯端末装置１が、充電用端子２５を下側にしてクレードル装置２に装着されると（図５（Ｂ）の状態）、携帯端末装置１側の充電用端子２５が、クレードル装置２側の充電用端子５５に接触する。これにより、クレードル装置２は携帯端末装置１に電力を供給し、携帯端末装置１は、当該電力を用いてバッテリ３８を充電する。
【００５１】
以上説明したように、本発明の第１の実施形態では、充電用端子２５を下側にして携帯端末装置１をクレードル装置２に装着すると、撮像部１６の撮像する画像の鏡像画面を表示部１４が表示し、また、クレードル装置２の照明機器５４が点灯状態となる。これにより、ユーザは、携帯端末装置１をクレードル装置２に装着するだけで、すなわち、携帯端末装置１にハンドミラー機能を実行させるための特別な操作を行う必要無しに、ユーザ自身の鏡像画像を見ることができる。そして、ユーザは、鏡像画像により、例えば自身の髪型や化粧のチェックを行うことができる。
【００５２】
このとき、クレードル装置２の照明機器５４が点灯されるため、十分な明るさの下で、自身の顔の状態をモニタできる。特に、クレードル装置２の照明機器５４への電力は、商用電源から供給されるので（より具体的には、商用電源から供給される交流電力が、直流電力に変換されて照明装置５４に供給されるので）、十分な明るさを確保できる。また、携帯端末装置１をクレードル装置２に装着することにより、携帯端末装置１がクレードル装置２に固定される。これにより、ユーザは携帯端末装置１を支持する必要がない。この点で、ユーザの利便性を得られる。例えば女性のユーザが、両手を使って化粧をすることができる。
【００５３】
＜第２の実施形態＞
次に、本発明の第２の実施形態について説明する。図７は、本発明の第２の実施形態における携帯端末システム１００の、携帯端末装置をクレードル装置に装着した状態の説明図である。
【００５４】
上述した第１の実施形態では、充電用端子２５を下側にして携帯端末装置１をクレードル装置２に装着すると、携帯端末装置１のバッテリ３８が充電状態となり、充電用端子を上側にして携帯端末装置１をクレードル装置２に装着すると、携帯端末装置１がハンドミラー機能を実行し、また、クレードル装置２の照明機器５４が点灯状態となる。
【００５５】
これに対して、第２の実施形態では、図７（Ａ）及び図７（Ｂ）に示すように、充電用端子２５を下側にして（すなわち、撮像部１６が上方に来る方向で）携帯端末装置１をクレードル装置２に装着すると、携帯端末装置１のバッテリ３８が充電状態となると共に、携帯端末装置１がハンドミラー機能を実行し、さらに、クレードル装置２の照明機器５４が点灯状態となる。このような動作を実現するために、携帯端末装置１側の磁気センサ２１及びマグネット２２の位置と、クレードル装置２側の磁気センサ５１及びマグネット５２の位置との関係が、第１の実施形態とは反対となっている。
【００５６】
この第２の実施形態における携帯端末システム１００は、バッテリ３８の充電とハンドミラー機能の実行とが同時に行われる点で第１の実施形態における携帯端末システム１００と異なる。他の構成および動作については、前述の第１の実施形態における携帯端末システム１００の構成および動作と同様であり、その説明を省略する。
【００５７】
本実施形態における携帯端末システム１００でも、第１の実施形態における携帯端末システム１００と同様の効果を得られる。具体的には、ユーザは、携帯端末装置１をクレードル装置２に装着するだけで、すなわち、携帯端末装置１にハンドミラー機能を実行させるための特別な操作を行う必要無しに、ユーザ自身の鏡像画像を見ることができる。そして、ユーザは、鏡像画像により、例えば自身の髪型や化粧のチェックを行うことができる。また、クレードル装置２の照明機器５４が点灯されるため、十分な明るさの下で、自身の顔の状態をモニタできる。特に、クレードル装置２の照明機器５４への電力は、商用電源から供給されるので、十分な明るさを確保できる。また、携帯端末装置１をクレードル装置２に装着することにより、携帯端末装置１がクレードル装置２に固定される。これにより、ユーザは携帯端末装置１を支持する必要がない。この点で、ユーザの利便性を得られる。例えば女性のユーザが、両手を使って化粧をすることができる。
【００５８】
加えて、携帯端末装置１がハンドミラー機能を実行する際に、携帯端末装置１は、商用電力の供給を受けられる。従って、携帯端末装置１がハンドミラー機能の実行を長時間継続しても、携帯端末装置１（バッテリ３８）がバッテリ切れとならない。また、携帯端末装置１がハンドミラー機能を実行する際に、商用電力を用いて照明機器１５を点灯状態とすることができるので、ユーザは、さらに十分な明るさでハンドミラー機能を利用でき、かつ、携帯端末装置１（バッテリ３８）がバッテリ切れとならない。
【００５９】
なお、上述した第１の実施形態および第２の実施形態では、携帯端末装置１とクレードル装置２との双方に、磁気センサ２１及磁気センサ５１を設けているが、携帯端末装置１又はクレードル装置２のどちらか一方に、センサを設ける構成としてもよい。
また、上述した第１の実施形態および第２の実施形態では、磁気センサを用いて携帯端末装置の装着状態を検出しているが、他の方法を用いるようにしてもよい。例えば、第１の実施形態において、携帯端末装置１が、充電用端子２５の反対側（撮像部１６のある側）にも端子を具備し、主制御部３１が、当該端子に充電用端子５５から供給される電力を検出することによって、充電用端子２５を上側にしてクレードル装置２に装着されたことを検出するようにしてもよい。
また、クレードル装置は、上記のように充電器であってもよいし、専用の照明台など充電器以外のものであってもよい。
【００６０】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００６１】
１  携帯端末装置
２  クレードル装置
１３  タッチパネル操作部
１４  表示部
１５、５４  照明機器
１６  撮像部
２１、５１  磁気センサ
２２、５２  マグネット
２５、５５  充電用端子
３１  主制御部
３２  ＲＯＭ
３３  フラッシュメモリ
３４  ＲＡＭ
３６  無線通信部
３８  バッテリ
３９  充電制御部
５０  機器保持部
５７  コネクタ
６０  ＡＣ／ＤＣアダプタ
６２  スイッチ回路
６３  スイッチ制御部
１００  携帯端末システム
【図１】
2012151715.tif 000003
【図２】
2012151715.tif 000004
【図３】
2012151715.tif 000005
【図４】
2012151715.tif 000006
【図５】
2012151715.tif 000007
【図６】
2012151715.tif 000008
【図７】
2012151715.tif 000009